(57)【要約】  ディスプレイパネルのムラ現象補正方法であって、ｎ＊ｍ画素の領域間隔で圧縮を行い、各領域の中心画素に対応するムラ補正値を格納し、少なくとも１つの領域の中心画素のムラ補正値は対応する領域の平均ムラ補正値であり、前記ｎ、ｍは２以上の整数であるステップ（Ｓ１１０）と、格納されたムラ補正値に基づき、領域の中心画素を除く他の画素に対応するムラ補正値を取得するステップ（Ｓ１２０）と、を含む。さらにディスプレイパネルを開示する。当該ムラ現象補正方法は、格納領域を節約するという利点を有する。
2020522726.tif 000002
【特許請求の範囲】
【請求項１】
ディスプレイパネルのムラ現象補正方法であって、
ｎ＊ｍ画素の領域間隔で圧縮を行い、各領域の中心画素に対応するムラ補正値を格納するステップであって、少なくとも１つの領域の中心画素のムラ補正値は対応する領域の平均ムラ補正値であり、前記ｎ、ｍは２以上の整数である、ステップと、
格納されたムラ補正値に基づき、領域の中心画素を除く他の画素に対応するムラ補正値を取得するステップと、を含むディスプレイパネルのムラ現象補正方法。
【請求項２】
各領域の中心画素に対応するムラ補正値は対応する領域の平均ムラ補正値である請求項１に記載のディスプレイパネルのムラ現象補正方法。
【請求項３】
格納されたムラ補正値に基づき、領域の中心画素を除く他の画素に対応するムラ補正値を取得するステップは、具体的には、
前記他の画素がディスプレイパネルの最外側の中心画素の位置する行又は列の外の位置にあるか否かを判断するステップと、
もしＹＥＳである場合、当該他の画素が位置する領域の中心画素に対応するムラ補正値を、当該他の画素に対応するムラ補正値とするステップと、を含む請求項２に記載のディスプレイパネルのムラ現象補正方法。
【請求項４】
もしＮＯである場合、当該他の画素が位置する領域の中心画素に対応するムラ補正値及び隣接する領域の中心画素に対応するムラ補正値に基づき線形補間して前記他の画素に対応するムラ補正値を計算して取得するステップをさらに含む請求項３に記載のディスプレイパネルのムラ現象補正方法。
【請求項５】
前記ｎ＝ｍである請求項１に記載のディスプレイパネルのムラ現象補正方法。
【請求項６】
前記ディスプレイパネルのエッジに多数の特殊領域が形成され、前記特殊領域に含まれる画素がｎ＊ａ又はｂ＊ｍであり、ａがｍ未満で且つａが正の整数であり、ｂがｎ未満で且つｂが正の整数であり、前記方法は、
特殊領域の中心画素に対応するムラ補正値を格納するステップであって、当該中心画素に対応するムラ補正値は対応する特殊領域の平均ムラ補正値である、ステップと、
格納された特殊領域のムラ補正値に基づき特殊領域の中心画素を除く他の画素に対応するムラ補正値を計算して取得するステップと、をさらに含む請求項１に記載のディスプレイパネルのムラ現象補正方法。
【請求項７】
前記ディスプレイパネルの解像度は３８４０＊２１６０であり、ｎ＝ｍ＝８であり、前記ディスプレイパネルに４８０＊２７０個の単独の領域が形成される請求項１に記載のディスプレイパネルのムラ現象補正方法。
【請求項８】
ディスプレイパネルであって、
ｎ＊ｍ画素の領域で圧縮を行い、各領域の中心画素に対応するムラ補正値を格納することに用いられる格納ユニットであって、少なくとも１つの領域の中心画素のムラ補正値は対応する領域の平均ムラ補正値であり、前記ｎ、ｍは２以上の整数である、格納ユニットと、
格納されたムラ補正値に基づき、領域の中心画素を除く他の画素に対応するムラ補正値を取得することに用いられる処理ユニットと、を含むディスプレイパネル。
【請求項９】
各領域の中心画素に対応するムラ補正値は対応する領域の平均ムラ補正値である請求項８に記載のディスプレイパネル。
【請求項１０】
前記処理ユニットは、具体的には、
前記他の画素がディスプレイパネルの最外側の中心画素の位置する行又は列の外の位置にあるか否かを判断することに用いられる判断ユニットと、
判断ユニットの判断結果がＹＥＳである場合、当該他の画素が位置する領域の中心画素に対応するムラ補正値を、当該他の画素に対応するムラ補正値とすることに用いられ、判断ユニットの判断結果がＮＯである場合、当該他の画素が位置する領域の中心画素に対応するムラ補正値及び隣接する領域の中心画素に対応するムラ補正値に基づき線形補間の計算をして前記他の画素に対応するムラ補正値を取得することに用いられる処理サブユニットと、を含む請求項８に記載のディスプレイパネルのムラ現象補正方法。
【発明の詳細な説明】
【技術分野】
【０００１】
本願は２０１７年５月３日に出願した、発明の名称が「ディスプレイパネルのムラ現象補正方法及びディスプレイパネル」であり、出願番号がＣＮ２０１７１０３０５５９１．７号である先行出願の優先権を主張し、上記先行出願の内容は援用の方式により本明細書に組み込まれている。
【０００２】
本発明は表示技術分野に属し、具体的には、ディスプレイパネルのムラ現象補正方法及びディスプレイパネルに関する。
【背景技術】
【０００３】
液晶ディスプレイ（Ｌｉｑｕｉｄ  Ｃｒｙｓｔａｌ  Ｄｉｓｐｌａｙ、ＬＣＤ）のプロセス上の欠陥によって、製造された液晶ディスプレイのディスプレイパネルの輝度が不均一であり、様々なムラ（ムラとは、ディスプレイの輝度が不均一であることによって、様々な痕跡が生じる現象である）を形成することを引き起こす場合が多い。
【０００４】
ディスプレイパネル（ｐａｎｅｌ）の輝度の均一性を向上させるために、現在、ムラ補正方法がある。すなわち、外部カメラによってグレースケール画面（異なる輝度の純白画面）のムラ形態を撮影し、ディスプレイパネルの中央位置の輝度を比較することによって、周辺領域と中央位置輝度との差分を算出し、次にムラ位置のグレースケールを逆補正する（中央位置よりも明るい領域に対して、グレースケールを下げ、輝度を下げ、中央位置より暗い領域に対して、グレースケールを上げ、輝度を上げる）ことによって、ディスプレイパネル全体を比較的均一な輝度にする方法である。
【０００５】
一般には、逆補正データはすべてデータメモリ（ｆｌａｓｈ）に格納されるが、同時に、設計コストを低減させるために、データメモリには各画素のグレースケール補正データを格納しない。現在、一般的な方法は、ｎ＊ｎ画素（例えば、８＊８画素）の領域間隔で圧縮を行い、一般には領域ごとにその中の１つの画素のグレースケール補正データをデータメモリに格納し、領域中の他の画素のグレースケール補正データが線形補間によって算出される。
【０００６】
ＵＨＤ（Ｕｌｔｒａ  Ｈｉｇｈ  Ｄｅｆｉｎｉｔｉｏｎ、超高精細）解像度のディスプレイパネル（３８４０＊２１６０画素、３８４０列の画素と２１６０行の画素から構成される領域を表す）を例に説明し、図１を参照すると、８＊８画素間隔で圧縮を行い、４８０＊２７０個の領域を形成し（図中、四角形の破線で１つの領域を形成する）、第１行の画素、第９行の画素、第１７行の画素、・・・・第２１４５行の画素、および第２１５３行の画素が、第１列の画素、第９列の画素、第１７列の画素、・・・・第３８２５列の画素、および第３８３３列の画素と、それぞれ交差する位置における画素（丸で囲われた画素）に対応するムラ補正データ、つまり計４８０＊２７０個のムラ補正データをデータメモリに格納する。また、第３８３４列の画素〜第３８４０列の画素に対応するムラ補正データを計算して取得し、そして第２１５４行の画素〜第２１６０行の画素に対応するムラ補正データを計算するために、格納された第３８２５列の画素に対応するムラ補正データと、第３８３３列の画素に対応するムラ補正データとによって、第３８４１列の画素に対応する補正データ（図中、ダミー画素は丸で囲われている）を計算して取得して、２７０個のムラ補正データを有し、また、第２１４５行の画素に対応するムラ補正データと、第２１５３行の画素に対応する補正データとによって第２１６１行の画素に対応するムラ補正データ（図中、ダミー画素は丸で囲われている）を計算して取得して、４８０個のムラ補正データを有する。そのためデータメモリに計４８１＊２７１個のムラ補正データを格納する必要があり、残りの画素のムラ補正データはタイミングコントローラ（Ｔｃｏｎ  ＩＣ）により既存の４８１＊２７１個のムラ補正データに基づき線形補間によって算出される。
【０００７】
上記残りの画素の具体的な計算方法は以下の通りであり、さらに図１を参照し、第１行〜第８行、第１列〜第８列の８＊８画素で形成された領域を例に説明すると、当該領域において、第１列の画素と第１行の画素との交差位置画素に対応するムラ補正値がＡ’であり、第９列の画素と第１行の画素との交差位置画素に対応するムラ補正値がＢ’であり、第１列の画素と第９行の画素との交差位置画素に対応するムラ補正値がＣ’であり、第９列の画素と第９行の画素との交差位置画素に対応するムラ補正値がＤ’であり、ｅ’画素に対応するムラ補正値がＥ’であり、ｆ’画素に対応するムラ補正値がＦ’であり、ｇ’画素に対応するムラ補正値がＧ’であることが既知であり、線形補間によって以下のようにＥ’、Ｆ’、Ｇ’を計算する。
【０００８】
Ｅ’＝［（８−Ｙ’）＊Ａ’＋Ｙ’＊Ｃ’］／８、
Ｆ’＝［（８−Ｙ’）＊Ｂ’＋Ｙ’＊Ｄ’］／８、
Ｇ’＝［（８−Ｘ’）＊Ｅ’＋Ｘ’＊Ｆ’］／８。
【０００９】
ここで、Ｘ’、Ｙ’はそれぞれ対応する画素の第１列と第１行との交差位置画素に対する行番号、列番号である。
【００１０】
更に上記計算方法を参照して明らかなように、第３８３４〜３８４０列の画素、第２１５４〜２１６０行の画素のムラ補正データの計算には、第３８４１列、第２１６１行の画素に対応するムラ補正データを使用する必要があり、従って４８１＊２７１個のムラ補正データを格納する必要があり、データメモリに４８１＊２１７個のムラ補正データを格納する必要があるため、格納されるデータ量が比較的大きく、データメモリの格納領域が比較的大きくする必要があり、それによりコスト増加を招く。
【発明の概要】
【発明が解決しようとする課題】
【００１１】
本発明の実施例が解決しようとする技術的問題は、ディスプレイパネルのムラ現象補正方法及びディスプレイパネルを提供することである。ディスプレイパネルの格納領域を減少させることができる。
【課題を解決するための手段】
【００１２】
上記技術的問題を解決するために、本発明の第１態様はディスプレイパネルのムラ現象補正方法を提供し、ｎ＊ｍ画素の領域間隔で圧縮を行い、各領域の中心画素に対応するムラ補正値を格納するステップであって、少なくとも１つの領域の中心画素のムラ補正値は対応する領域の平均ムラ補正値であり、前記ｎ、ｍは２以上の整数である、ステップと、
格納されたムラ補正値に基づき、領域の中心画素を除く他の画素に対応するムラ補正値を取得するステップと、を含む。
【００１３】
そのうち、各領域の中心画素に対応するムラ補正値は対応する領域の平均ムラ補正値である。
【００１４】
そのうち、格納されたムラ補正値に基づき、領域の中心画素を除く他の画素に対応するムラ補正値を取得するステップは、具体的には、
前記他の画素がディスプレイパネルの最外側の中心画素の位置する行又は列の外の位置にあるか否かを判断するステップと、もしＹＥＳである場合、当該他の画素が位置する領域の中心画素に対応するムラ補正値を、当該他の画素に対応するムラ補正値とするステップと、を含む。
【００１５】
そのうち、もしＮＯである場合、当該他の画素が位置する領域の中心画素に対応するムラ補正値及び隣接する領域の中心画素に対応するムラ補正値に基づき線形補間して前記他の画素に対応するムラ補正値を計算して取得するステップをさらに含む。
【００１６】
そのうち、前記ｎ＝ｍである。
【００１７】
そのうち、前記ディスプレイパネルのエッジに多数の特殊領域が形成され、前記特殊領域に含まれる画素がｎ＊ａ又はｂ＊ｍであり、そのうち、ａがｍ未満で且つａが正の整数であり、ｂがｎ未満で且つｂが正の整数であり、前記方法は、
特殊領域の中心画素に対応するムラ補正値を格納するステップであって、当該中心画素に対応するムラ補正値は対応する特殊領域の平均ムラ補正値である、ステップと、
格納された特殊領域のムラ補正値に基づき特殊領域の中心画素を除く他の画素に対応するムラ補正値を計算して取得するステップと、をさらに含む。
【００１８】
そのうち、前記ディスプレイパネルの解像度は３８４０＊２１６０であり、ｎ＝ｍ＝８であり、前記ディスプレイパネルに４８０＊２７０個の単独の領域が形成される。
【００１９】
本発明の第２態様はディスプレイパネルを提供し、ｎ＊ｍ画素の領域で圧縮を行い、各領域の中心画素に対応するムラ補正値を格納することに用いられる格納ユニットであって、少なくとも１つの領域の中心画素のムラ補正値は対応する領域の平均ムラ補正値であり、前記ｎ、ｍは２以上の整数であることに用いられる格納ユニットと、
格納されたムラ補正値に基づき、領域の中心画素を除く他の画素に対応するムラ補正値を取得することに用いられる処理ユニットと、を含む。
【００２０】
そのうち、各領域の中心画素に対応するムラ補正値は対応する領域の平均ムラ補正値である。
【００２１】
そのうち、前記処理ユニットは、具体的には、
前記他の画素がディスプレイパネルの最外側の中心画素の位置する行又は列の外の位置にあるか否かを判断することに用いられる判断ユニットと、
判断ユニットの判断結果がＹＥＳである場合、当該他の画素が位置する領域の中心画素に対応するムラ補正値を、当該他の画素に対応するムラ補正値とすることに用いられ、判断ユニットの判断結果がＮＯである場合、当該他の画素が位置する領域の中心画素に対応するムラ補正値及び隣接する領域の中心画素に対応するムラ補正値に基づき線形補間の計算をして前記他の画素に対応するムラ補正値を取得することに用いられる処理サブユニットと、を含む。
【発明の効果】
【００２２】
本発明の実施例を実施することによって、以下の有益な効果を有する。
【００２３】
ディスプレイパネルに格納されるムラ補正値が従来技術よりも減少し、それにより、ディスプレイパネルの格納領域を減少させることができ、それによりコストを低減させることができる。
【図面の簡単な説明】
【００２４】
本発明の実施例又は従来技術の技術案をより明確に説明するために、以下、実施例又は従来技術の説明に必要な図面を簡単に説明する。明らかなように、以下説明される図面は単に本発明のいくつかの実施例であり、当業者は創造的な努力をせずにこれらの図面に基づき他の図面を想到し得る。
【００２５】
【図１】図１は、従来技術のディスプレイパネルの画素の配列図である（ディスプレイパネルは図中の丸で囲われた画素に対応するムラ補正値を格納する）。
【図２】図２は、本発明の一実施例におけるディスプレイパネルのムラ現象補正方法のフローチャートである。
【図３】図３は、本発明の一実施例におけるディスプレイパネルの画素の配列図である（ディスプレイパネルは図中の丸で囲われた画素に対応するムラ補正値を格納する）。
【図４】図４は、本発明の別の実施例におけるディスプレイパネルのムラ現象補正方法のフローチャートである。
【図５】図５は、本発明の別の実施例におけるそのうちの１行／列の画素のムラ補正線（実線で示される）、従来技術におけるそのうちの１行／列のムラ補正線（点鎖線で示される）及びディスプレイパネル中の１行／列の画素に実際に必要なムラ補正線（破線で示される）の比較図である。
【図６】図６は、本発明のさらに別の実施例におけるディスプレイパネルのムラ現象補正方法のフローチャートである。
【図７】図７は、本発明の一実施例におけるディスプレイパネルの構成模式図である。
【発明を実施するための形態】
【００２６】
以下、本発明の実施例の図面と組み合わせて本発明の実施例の技術案を明確かつ完全に説明し、明らかなように、説明される実施例は単に本発明の一部の実施例であり、すべての実施例ではない。本発明の実施例に基づき、当業者が創造的な努力をせずに想到し得る他の実施例はすべて本発明の保護範囲に属する。
【００２７】
本願の明細書、特許請求の範囲及び図面に出現する用語「含む」、「有する」及びそれらの任意の変形は、非排他的な包含をカバーすることを意図する。例えば、一連のステップ又はユニットを含むプロセス、方法、システム、製品又は装置は例示されたステップ又はユニットに限定されるものではなく、例示されていないステップ又はユニットをさらに含んでもよく、或いはこれらのプロセス、方法、製品又は装置固有の他のステップ又はユニットをさらに含んでもよい。または、用語「第１」、「第２」及び「第３」等は異なる対象を区別することに用いられ、特定の順序を説明するためのものではない。
【００２８】
本発明の実施例はディスプレイパネルのムラ現象補正方法を提供し、上記ディスプレイパネルは液晶ディスプレイパネル又は他のディスプレイパネルであってもよく、以下の説明では上記ディスプレイパネルがＵＨＤ（Ｕｌｔｒａ  Ｈｉｇｈ  Ｄｅｆｉｎｉｔｉｏｎ、超高精細）ディスプレイパネルであることを例に説明する。すなわち、上記ディスプレイパネルの解像度は３８４０＊２１６０に達する（以下、解像度３８４０＊２１６０を例に説明する）が、勿論、本発明の他の実施例では、上記ディスプレイパネルの解像度は上記解像度に限定されず、１９２０＊１０８０の解像度又は他の解像度であってもよい。図２及び図３を参照すると、上記方法は、下記ステップを含む。
【００２９】
Ｓ１１０では、ｎ＊ｍ画素の領域間隔で圧縮を行い、各領域の中心画素に対応するムラ補正値を格納する。少なくとも１つの領域の上記中心画素のムラ補正値は対応する領域の平均ムラ補正値であり、上記ｎ、ｍは２以上の整数であり、本実施例では、ｎ＝ｍであり、且つｎ及びｍはともに８である。勿論、本発明の他の実施例では、上記ｎ及びｍは異なってもよく、上記ｎ及びｍは２以上の他の整数であってもよい。
【００３０】
本実施例では、上記ディスプレイパネルは８＊８画素の領域間隔で圧縮を行い４８０（３８４０／８＝４８０）＊２７０（２１６０／８＝２７０）個の領域を形成する。図３を参照すると、図３中の破線ボックスは１つの領域であり、ディスプレイパネルは各領域中心画素に対応するムラ補正値（図３中、中心画素は丸で囲われている）を格納するが、４８０＊２７０個の領域のみであるため、ディスプレイパネルは４８０＊２７０個のムラ補正値のみを格納すればよい。さらに図３を参照し、ディスプレイパネルの最左上の１つの領域を例に説明すると、この領域は第１列の画素Ｃ１〜第８列の画素Ｃ８及び第１行の画素Ｒ１〜第８行の画素Ｒ８によって囲まれており、当該領域の中心画素は第４行の画素Ｒ４と第４列の画素Ｃ４との交差画素であってもよく、第４行の画素Ｒ４と第５列の画素Ｃ５との交差画素であってもよく、第５行の画素Ｒ５と第４列の画素Ｃ４との交差画素であってもよく、第５行の画素Ｒ５と第５列の画素Ｃ５との交差画素であってもよい。本実施例では、第４行の画素Ｒ４と第４列の画素Ｃ４との交差画素が中心画素（図３中、丸で囲われている）であり、ディスプレイパネルの他の領域の中心画素の設置も当該領域の中心画素位置を参照する。勿論、本発明の他の実施例では、領域中に最も中心にある画素が存在する場合、上記中心画素は最も中心にある画素である。
【００３１】
本実施例では、形成された４８０＊２７０個の領域のうち、少なくとも１つの領域の上記中心画素に対応するムラ補正値は対応する領域の平均ムラ補正値であり、例えば、上記中心画素のムラ補正値は当該領域のすべての画素のムラ補正値の和を６４で割ったものである。本実施例では、各領域の中心画素のムラ補正値はともに対応する領域の平均ムラ補正値であり、当該平均ムラ補正値は外部ムラ補正システムによって取得された後、ディスプレイパネル内に対応付けて格納される。勿論、本発明の他の実施例では、上記中心画素のムラ補正値の一部は対応する領域の平均ムラ補正値ではなく、当該画素の実際ムラ補正値であってもよい。
【００３２】
Ｓ１２０では、格納されたムラ補正値に基づき、領域の中心画素を除く他の画素に対応するムラ補正値を取得する。
【００３３】
本実施例では、ディスプレイパネルの圧縮された同一領域の画素は中心画素及び他の画素を含む。格納された４８０＊２７０個のムラ補正値に基づき、他の画素に対応するムラ補正値を取得することができ、例えば、線形補間計算方法によって他の画素に対応するムラ補正値を取得するか、又は特定の特殊位置にある他の画素に対応するムラ補正値を当該領域中心画素に対応するムラ補正値に直接付与するが、ここで、当該領域中心画素のムラ補正値は対応する領域の平均ムラ補正値である。
【００３４】
ディスプレイパネルに格納されるムラ補正値は、従来技術よりも減少する。具体的には、本実施例では、格納されるムラ補正値が４８０＊２７０個である一方、従来技術では４８１＊２７１個を格納する必要がある。そのため、ディスプレイパネルの格納領域を減少させることができ、それによりコストを低減させることができる。
【００３５】
図４を参照すると、好ましくは、ステップＳ１２０では、格納されたムラ補正値に基づき、領域の中心画素を除く他の画素に対応するムラ補正値を取得するステップは、具体的にステップＳ１２１〜Ｓ１２３を含む。
【００３６】
Ｓ１２１では、上記他の画素が、ディスプレイパネルの最外側の上記中心画素の位置する行又は列の外の位置にあるか否かを判断し、もしＹＥＳである場合、ステップＳ１２２を実行し、もしＮＯである場合、ステップＳ１２３を実行する。
【００３７】
本実施例では、ディスプレイパネルは四角形であり、ディスプレイパネルの最外側は左外側、右外側、上外側、及び下外側を含み、ディスプレイパネルの最外側の上記中心画素が位置する行又は列は左外側から第４列であり、右外側から第３８３６列であり、上外側から第４行であり、下外側から第２１５６行である。上記他の画素がディスプレイパネルの最外側の上記中心画素の位置する行又は列の外の領域にあるか否かを判断することは、すなわち、上記他の画素がディスプレイパネルの第４列の画素、第３８４６列の画素、第４行の画素、第２１５６行の画素によって囲まれる領域外の位置にあるか否かを判断することであり、またこれはすなわち、上記他の画素がディスプレイパネルの第１列の画素〜第３列の画素内、第３８３７列の画素〜３８４０列の画素内、第１行の画素〜第３行の画素内又は第２１５７行の画素〜２１６０行の画素内にあるか否かを判断することである。
【００３８】
Ｓ１２２では、当該他の画素が位置する領域の中心画素に対応するムラ補正値を、当該他の画素に対応するムラ補正値とする。
【００３９】
本実施例では、当該他の画素がディスプレイパネルの第１列の画素〜第３列の画素内、第３８３７列の画素〜３８４０列の画素内、第１行の画素〜第３行の画素内又は第２１５７行の画素〜２１６０行の画素内にある場合、例えば、当該他の画素の座標が（１，１）（第１行の画素と第１行の画素との交差画素、すなわち最左上の画素を表す）、（１，２１６０）（列座標、行座標を表す）、（３８４０，１）、（３８４０，２１６０）、（３，４）、（４，３）等である場合、当該他の画素が位置する領域の中心画素に対応するムラ補正値を、当該他の画素に対応するムラ補正値とする。例えば、当該他の画素の座標が（１，１）である場合、最左上の領域の中心画素に対応するムラ補正値を、当該（１，１）座標画素に対応するムラ補正値に付与する。すなわち、座標が（４，４）の中心画素に対応するムラ補正値を、座標が（１，１）の画素に対応するムラ補正値に付与する。
【００４０】
本実施例では、中心画素に対応するムラ補正値は対応する領域の平均ムラ補正値であり、それにより、当該ムラ補正値を当該他の画素に対応する補正値とすることによって、輝度ムラを回避でき、従来技術（図１参照）のように第３８３４〜３８４０列の画素、第２１５４〜２１６０行の画素のムラ補正データの取得には、対応する第３８４１列、第２１６１行の画素（丸で囲われた画素）のムラ補正データを使用する必要がなく、第３８４１列、第２１６１行の画素（丸で囲われた画素）のムラ補正データ自体が不正確である（そもそもこれらの画素はダミー画素であり、計算によって取得される）ため、第３８３４〜３８４０列、第２１５４〜２１６０行の他の画素の算出されたムラ補正データはさらに不正確となり、輝度ムラの問題を招く。図５に示されるように、本実施例はムラ補正効果が比較的高く、実際に必要なムラ補正値に比較的近く、ディスプレイパネルの画面効果を向上させることができ、且つ、ディスプレイパネルの最外側の上記中心画素が位置する行又は列の外の他の画素をこのように処理することで、ディスプレイパネルは従来技術のように補正データをより多く格納せずに済む。また、本発明の他の実施例では、上記ディスプレイパネルはさらに他の処理によって、従来技術のように補正データをより多く格納せずに済む効果を同様に実現するようにしてもよく、例えば額縁によってこれら他の画素を覆ってもよい。また、従来技術では、モジュール組立後、周囲から光が漏れやすいため、第１行及び第１列の画素のムラ補正データの計算正確性にも影響を与える一方、本実施例では、ディスプレイパネルのエッジ位置における画素の補正値がともに対応する領域の平均ムラ補正値に直接付与するため、エッジでも輝度が比較的均一である。
【００４１】
Ｓ１２３では、当該他の画素が位置する領域の中心画素に対応するムラ補正値及び隣接する領域の中心画素に対応するムラ補正値に基づき線形補間して上記他の画素に対応するムラ補正値を計算して取得する。
【００４２】
本実施例では、当該他の画素がディスプレイパネルの第１列の画素〜第３列の画素内、第３８５７列の画素〜３８６０列の画素内、第１行の画素〜第３行の画素内及び第２１５７行の画素〜２１６０行の画素内になく、すなわち当該他の画素がディスプレイパネルの第４列の画素〜第３８５６列の画素、第４行の画素〜第２１５６行の画素によって囲まれる領域内にある場合、当該他の画素が位置する領域の中心画素に対応するムラ補正値及び隣接する領域の中心画素に対応するムラ補正値に基づき線形補間して上記他の画素に対応するムラ補正値を計算して取得する。
【００４３】
さらに図３に示されるように、以下、例えば図中のｅ画素、ｇ画素、ｆ画素に対応するムラ補正値Ｅ、Ｇ、Ｆを計算すると、ムラ補正値Ｅ、Ｇ、Ｆはそれぞれ
Ｅ＝［（８−Ｙ）＊Ａ＋Ｙ＊Ｃ］／８、
Ｆ＝［（８−Ｙ）＊Ｂ＋Ｙ＊Ｄ］／８、
Ｇ＝［（８−Ｘ）＊Ｅ＋Ｘ＊Ｆ］／８である。
【００４４】
ここでＸ、Ｙはそれぞれ対応する画素の中心画素（４，４）に対する行番号、列番号である。
【００４５】
同様に、線形補間計算によって、ディスプレイパネルの第１列の画素〜第３列の画素、第３８５７列の画素〜３８６０列の画素、第１行の画素〜第３行の画素及び第２１５７行の画素〜２１６０行の画素ではない、他の画素に対応するムラ補正値を取得することができ、それによりディスプレイパネル内の全画素に対応するムラ補正値を取得することができる。
【００４６】
また、本発明の他の実施例では、ディスプレイパネルの解像度がｎ又はｍで整除できない場合、ディスプレイパネルのエッジに多数の特殊領域を形成し、ここで上記特殊領域に含まれる画素がｎ＊ａ又はｂ＊ｍである。そのうち、ａがｍ未満で且つａが正の整数であり、ｂがｎ未満で且つｂが正の整数であり、これらの領域に対してムラ補正を行うために、図６に示すように、上記ディスプレイパネルのムラ現象補正方法はステップＳ１１０、及びＳ１２０に加えて、ステップＳ１３０〜Ｓ１４０をさらに含む。
【００４７】
Ｓ１３０では、特殊領域の中心画素に対応するムラ補正値を格納し、そのうち、当該中心画素に対応するムラ補正値は対応する特殊領域の平均ムラ補正値であり、例えば、当該特殊領域に含まれる画素が８＊５である場合、上記中心画素の座標は（４，３）又は（５，３）であってもよい。すなわち、第４列の画素と第３行の画素との交差画素又は第５列の画素と第３行の画素との交差画素であり、上記平均ムラ補正値は対応する特殊領域のすべての画素に対応するムラ補正値の和を４０で割ったものである。
【００４８】
Ｓ１４０では、格納された特殊領域のムラ補正値に基づき特殊領域の中心画素を除く他の画素に対応するムラ補正値を計算して取得する。
【００４９】
特殊領域の他の画素に対応するムラ補正値の計算はＳ１２２及びＳ１２３の処理を参照できるため、ここでは重複説明をしない。
【００５０】
また、本発明の実施例はさらにディスプレイパネルを提供し、図７に示すように、上記ディスプレイパネルは、格納ユニット１１０及び処理ユニット１２０を含む。
【００５１】
格納ユニット１１０は、ｎ＊ｍ画素の領域で圧縮を行い、各領域の中心画素に対応するムラ補正値を格納することに用いられる。そのうち、少なくとも１つの領域の中心画素のムラ補正値は対応する領域の平均ムラ補正値であり、上記ｎ、ｍは２以上の整数である。
本実施例では、上記格納ユニット１１０はデータメモリ（ｆｌａｓｈ）であるが、本発明はそれに限定されず、本発明の他の実施例では、上記格納ユニットはタイミングコントローラ（Ｔｃｏｎ  ＩＣ）であってもよい。本実施例では、各領域の中心画素のムラ補正値は対応する領域の平均ムラ補正値である。
【００５２】
処理ユニット１２０は、格納されたムラ補正値に基づき、領域の中心画素を除く他の画素に対応するムラ補正値を取得することに用いられる。
【００５３】
本実施例では、上記処理ユニット１２０はタイミングコントローラ（Ｔｃｏｎ  ＩＣ）である。
【００５４】
また、本実施例では、上記処理ユニットは、具体的には、上記他の画素がディスプレイパネルの最外側の中心画素の位置する行又は列の外の位置にあるか否かを判断することに用いられる判断ユニット１２１と、
判断ユニット１２１の判断結果がＹＥＳである場合、当該他の画素が位置する領域の中心画素に対応するムラ補正値を、当該他の画素に対応するムラ補正値とすることに用いられ、判断ユニット１２１の判断結果がＮＯである場合、当該他の画素が位置する領域の中心画素に対応するムラ補正値及び隣接する領域の中心画素に対応するムラ補正値に基づき線形補間して上記他の画素に対応するムラ補正値を計算して取得することに用いられる処理サブユニット１２２と、を含む。
【００５５】
なお、本明細書の各実施例はプログレッシブ方式で説明され、各実施例は他の実施例との相違点に重点をおいて説明し、各実施例間の同一又は類似の部分は相互に参照することができる。装置の実施例について、方法の実施例と基本的に類似するため、比較的簡単に説明されているが、関連部分は方法の実施例の関連説明を参照ることができる。
【００５６】
上記実施例についての説明からわかるように、本発明は以下の利点を有する。
【００５７】
ディスプレイパネルに格納されるムラ補正値が従来技術よりも減少し、それにより、ディスプレイパネルの格納領域を減少させることができ、それによりコストを低減させることができる。
【００５８】
以上、本発明の好適実施例を説明したが、明らかなように、本発明の保護範囲を限定するものではなく、従って、本発明の特許請求の範囲に基づき行われる同等変形も本発明に含まれる範囲に属する。
【符号の説明】
【００５９】
１１０  格納ユニット
１２０  処理ユニット
１２１  判断ユニット
１２２  処理サブユニット
【図１】
2020522726.tif 000003
【図２】
2020522726.tif 000004
【図３】
2020522726.tif 000005
【図４】
2020522726.tif 000006
【図５】
2020522726.tif 000007
【図６】
2020522726.tif 000008
【図７】
2020522726.tif 000009
【国際調査報告】
2020522726.tif 000010
2020522726.tif 000011
2020522726.tif 000012
2020522726.tif 000013